(57)【要約】【課題】携帯電子機器のキーバックライト用の発光部を有効に活用可能な携帯電子機器を提供することである。【解決手段】携帯電話機１は、第２筐体３と、該第２筐体３内部に配設されるプリント基板２１に実装され、キー操作部１０を照光可能な発光部２７と、発光部２７を制御する制御部５７と、筐体内部に配設されるアンテナ部１５と、アンテナ部１５を保持するための第１アンテナ保持部１３又は第２アンテナ保持部１４と、を有し、第１アンテナ保持部１３又は第２アンテナ保持部１４は、第２筐体３外部に一部が露出されて、発光部２７からの光を第２筐体３外部に導光可能である。【選択図】図２
2011097231.tif 000002
【特許請求の範囲】
【請求項１】
筐体と、
該筐体内部に配設されるプリント基板に実装され、キー操作部を照光可能な発光部と、
前記発光部を制御する制御部と、
前記筐体内部に配設されるアンテナ部と、
前記アンテナ部を保持するためのアンテナ保持部と、を有し、
前記アンテナ保持部は、前記筐体外部に一部が露出されて、前記発光部からの光を前記筐体外部に導光可能である
携帯電子機器。
【請求項２】
前記アンテナ保持部は、第１のアンテナ保持部と第２のアンテナ保持部とを有し、
前記発光部は、前記第１のアンテナ保持部に照光する第１の発光部と前記第２のアンテナ保持部に照光する第２の発光部とを有する
請求項１に記載の携帯電子機器。
【請求項３】
前記制御部は、前記第１の発光部と前記第２の発光部を、前記第１のアンテナ保持部又は第２のアンテナ保持部が保持するアンテナ部の受信電波強度が強い方を表示させるように制御する
請求項２に記載の携帯電子機器。
【請求項４】
前記発光部は、携帯電子機器の動作状況に応じて発光する
請求項１〜３いずれか１項に記載の携帯電子機器。
【請求項５】
前記アンテナ保持部は、レンズ形状を有しておりライト機能を有する
請求項１〜４いずれか１項に記載の携帯電子機器。
【請求項６】
前記アンテナ保持部は、前記筐体の複数の面にわたるように形成され、
前記制御部は、前記発光部の発光パターンを制御して前記アンテナ保持部を加飾している
請求項１〜５いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、キーバックライト用のＬＥＤ近傍に、入射する光を拡散可能な材料からなる表示窓部品（インジケータ）を配置し、この表示窓部品の近傍のＬＥＤを点灯制御することで、キーバックライト用のＬＥＤと着信用のＬＥＤを兼用し、動作状態を表示する携帯電子機器が開示されている。
【先行技術文献】
【特許文献】
【０００３】
【特許文献１】特開２００７―１５０４５９号公報
【発明の概要】
【発明が解決しようとする課題】
【０００４】
しかしながら、特許文献１に記載の方法においては、携帯電子機器のキーバックライト用のＬＥＤが有効に活用できないという不利益がある。
【０００５】
本発明の目的は、携帯電子機器のキーバックライト用の発光部を有効に活用可能な携帯電子機器を提供することである。
【課題を解決するための手段】
【０００６】
本発明の携帯電子機器は、筐体と、該筐体内部に配設されるプリント基板に実装され、キー操作部を照光可能な発光部と、前記発光部を制御する制御部と、前記筐体内部に配設されるアンテナ部と、前記アンテナを保持するためのアンテナ保持部と、を有し、前記アンテナ保持部は、前記筐体外部に一部が露出されて、前記発光部からの光を前記筐体外部に導光可能である。
【０００７】
好適には、前記アンテナ保持部は、第１のアンテナ保持部と第２のアンテナ保持部とを有し、前記発光部は、前記第１のアンテナ保持部に照光する第１の発光部と前記第２のアンテナ保持部に照光する第２の発光部とを有する。
【０００８】
好適には、前記制御部は、前記第１の発光部と前記第２の発光部を、前記第１のアンテナ保持部又は第２のアンテナ保持部が保持するアンテナ部の受信電波強度が強い方を表示させるように制御する。
【０００９】
好適には、前記発光部は、携帯電子機器の動作状況に応じて発光する。
【００１０】
好適には、前記アンテナ保持部は、レンズ形状を有しておりライト機能を有する。
【００１１】
好適には、前記アンテナ保持部は、前記筐体の複数の面にわたるように形成し、前記制御部は、前記発光部の発光パターンを制御して前記アンテナ保持部を加飾している。
【発明の効果】
【００１２】
本発明によると、携帯電子機器のキーバックライト用の発光部を有効に活用可能な携帯電子機器を提供することができる。
【図面の簡単な説明】
【００１３】
【図１】本発明の実施形態に係る携帯電話機の外観を示す斜視図である。
【図２】図１のＩＩ−ＩＩ断面の説明図である。
【図３】図１及び図２の携帯電話機の信号処理系を示すブロック図である。
【図４】キーシートの正面図と背面図である。
【図５】プリント基板の説明図である。
【図６】発光部によるインジケータ機能の説明図である。
【図７】第１の変形例の説明図である。
【図８】第２の変形例の説明図である。
【図９】第３の変形例の説明図である。
【図１０】懐中電灯（ポインタ）機能を発揮させる為の第１アンテナ保持部の形状を説明する図である。
【発明を実施するための形態】
【００１４】
図１は、本発明の実施形態に係る携帯電話機１の外観を示す斜視図である。
【００１５】
携帯電話機１は、折り畳み式として構成されている。
携帯電話機１は第１筐体２及び第２筐体３とで構成されている。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１６】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１７】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００１８】
また、第１筐体２においてヒンジ部９に向かう方向をヒンジ部方向（図１の第１筐体２においては、紙面下の方向）といい、その逆をヒンジ部反対方向（図１の第１筐体２においては、紙面上方向）という。
同様に、第２筐体３においても、ヒンジ部９に向かう方向を連結部方向（図１の第２筐体３においては、紙面上の方向）といい、その逆を連結部反対方向（図１の第２筐体３においては、紙面下の方向）という。
【００１９】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
【００２０】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２１】
また、図１のように、第２筐体フロントケース６の表面方向には、キー操作部１０が配置されている。このキー操作部１０をユーザが操作することによって、携帯電話機１に命令の入力、文字の入力等がなされる。
【００２２】
キー操作部１０の、ヒンジ部反対方向位置には第１アンテナ保持部１３が配設されている。
キー操作部１０の、ヒンジ部方向位置には第２アンテナ保持部１４が配設されている。
【００２３】
この第１アンテナ保持部１３及び第２アンテナ保持部１４は、後述するが、アンテナ部を保持するための部材である。
さらに、この第１アンテナ保持部１３及び第２アンテナ保持部１４は、キー操作部１０内部の発光部２７が発光する光を第２筐体３の外部に導光する役割をも有している。
つまり、この第１アンテナ保持部１３及び第２アンテナ保持部１４は、ユーザに各種の情報（電話着信、メールの着信等）の報知を行うインジケータの機能をも有している。
【００２４】
図２は、図１のＩＩ−ＩＩ断面の説明図である。
【００２５】
図２のように、第２筐体フロントケース６と第２筐体リアケース７とが、その内面どうしを対向させて結合している。
そして、それによって形成される内部空間に、内部筐体２０が配置されている。内部筐体２０の裏面方向には、バッテリ収納部２８が形成されている。
そして、このバッテリ収納部２８に着脱可能なバッテリ２２が配置されている。このバッテリ２２は携帯電話機１に電力を供給している。
さらに、裏面方向には、バッテリ２２を交換可能とするためにバッテリカバー２３が配置されている。
【００２６】
内部筐体２０の、表面方向には、スイッチ２６が実装されるプリント基板２１が配置されている。このプリント基板２１は、アンテナ部１５及び発光部２７が実装されている。
発光部２７は、例えば、ＬＥＤ（Light Emitting Diode:発光ダイオード）によって構成されている。
この発光部２７は、少なくともキーシート３２の一部を照光する。この照光によって、ユーザは暗闇でも携帯電話機１のスイッチ位置を認識することが可能となる。
また、この照光によってデザイン性を向上させることができる。
【００２７】
スイッチ２６は、例えば、固定接点２５と、ドーム状の板金であるメタルドーム２４により構成されている。メタルドーム２４は固定接点２５を覆っている。
ユーザがキーシート３２を押圧すると、それによってキーシート３２が弾性変形する。さらに、そのキーシート３２の弾性変形によって、キーシート３２がメタルドーム２４の頭頂部を押圧する。
それによって、メタルドーム２４も弾性変形をおこす、その変形量が一定程度を超えると、メタルドーム２４の一部が凹んで反対側に凸となる。
これによって、メタルドーム２４はクリック感を生じつつ固定接点２５に当接する。
メタルドーム２４と固定接点２５が当接することによって電流が流れ、この電流の流れを制御部５７が検出する。そして、このことによって、制御部５７はユーザによるキーシート３２の押しこみ、つまり、ユーザによるキー入力操作を検出する。
【００２８】
メタルドーム２４はメタルドームシート４３によってプリント基板２１に貼り付けられる。
具体的には、粘着性の物質が形成されたメタルドームシート４３の一方表面側にメタルドーム２４を貼り付け、さらに、メタルドームシート４３はプリント基板２１に貼り付けられる。
【００２９】
また、後述するキーシート３２及びメタルドームシート４３は、発光部２７が出射する光を反射する反射部としての機能をも有している。
そして、キーシート３２及びメタルドームシート４３によって反射された光は、キーシート３２及びメタルドームシート４３の間隙の空間である導光路４４を通過する。
そして、導光路４４を通過した光は、第１アンテナ保持部１３、第２アンテナ保持部１４又は透過部３１を経由して、第２筐体３の外部に導光される。
第２筐体３の外部に導光される光は、照光（キーバックライト）機能又はインジケータ機能を発揮する。
第１アンテナ保持部１３及び第２アンテナ保持部１４は、透明又は半透明な材料によって形成されている。
【００３０】
プリント基板２１の表面方向にはキーシート３２が配置されている。キーシート３２の表面には、押圧がなされた時に発揮するべき機能を表した印刷図形３３（図４を参照）が形成されている。
印刷図形３３は、たとえば、０〜９までの数字、各種の図形及び記号並びにアルファベット等から構成される。
この印刷図形３３は、スイッチ２６に対応する位置に形成されている。
【００３１】
キーシート３２は、遮光部３０と透過部３１から構成されている。
遮光部３０は発光部２７の光を透過しないように構成され、透過部３１は発光部２７の光を透過するように構成されている。
透過部３１は、透明又は半透明に構成されている。また、透過部３１の表面方向の面には、透過部３１の内部に配置されているスイッチ２６が実現する機能に対応する印刷図形３３が形成されている。
また、遮光部３０が特に反射部としての機能を発揮する。
【００３２】
キーシート３２は、例えば、透明又は半透明で容易に撓むシリコン樹脂等で構成する。
【００３３】
発光部２７は、前述のようにキー操作部１０を構成するキーシート３２の透過部３１を照光することに加えて、第１アンテナ保持部１３をも照光する。
つまり、第１アンテナ保持部１３は、発光部２７が出射する光を導光して、第２筐体３の外部に導く役割を果たしている。
第１アンテナ保持部１３が第２筐体３の外部に発光部２７の光を導光することによって、第１アンテナ保持部１３は、インジケータとしての機能をも有することができる。
なお、第２アンテナ保持部１４も第１アンテナ保持部１３と同様の機能及び構成を有している。
【００３４】
第１アンテナ保持部１３は、第１アンテナ部１５ａを保持する役割を有している。
また、第１アンテナ部１５ａはプリント基板２１に実装されており、第１アンテナ部１５ａを通じて無線通信を行う。
第２アンテナ保持部１４によって保持される第２アンテナ部１５ｂも同様な構成を有している（第２アンテナ部１５ｂは図示していない）。
【００３５】
図３は、図１及び図２の携帯電話機１の信号処理系を示すブロック図である。
【００３６】
図３に示されるように、携帯電話機１は、制御・処理の中枢である制御部５７と、通信部５１と、操作部５２と、音声入出力部５３と、表示部８と、記憶部５６と、発光部２７のそれぞれが、アドレス、データ、コントロールのためのラインが複数本からなるシステムバス５９に共通に接続され、構成される。
【００３７】
発光部２７は、第１アンテナ部１５ａ側の第１発光部２７ａと、第２アンテナ部１５ｂ側の第２発光部２７ｂとを有する。
この第１発光部２７ａと第２発光部２７ｂとが発光することによって、第１アンテナ保持部１３及び第２アンテナ保持部１４を照光している。
第１発光部２７ａと第２発光部２７ｂは、第１アンテナ保持部１３及び第２アンテナ保持部１４を照光するのみではなく、キー操作部１０をも照光する機能を有している。
後述する制御部５７は、複数の発光部２７のうちどの発光部２７が発光するか、発光するとしてどの色の光を出射するかを制御可能である。
つまり、第１発光部２７ａ及び第２発光部２７ｂは独立に、光の出射の有無、光量、色を変化することが可能である。
【００３８】
通信部５１は、無線通信システムを捕捉し、通信ネットワークに接続される基地局１００との間で無線通信を行い、各種データの送受信を行う。各種データとは、Ｗｅｂ上のダウンロードサイトからダウンロードされるファイルのデータ、音声通話時の音声データ、メール送受信時のメールデータ、ウェブ閲覧時のウェブページデータ、等である。
通信部５１は、第１アンテナ保持部１３の第１アンテナ部１５ａ及び第２アンテナ保持部１４の第２アンテナ部１５ｂを用いて通信を行う。
第１アンテナ保持部１３の第１アンテナ部１５ａ及び第２アンテナ保持部１４の第２アンテナ部１５ｂのどちらか一方を用いて通信することも可能であるし、両方を使用することも可能である。
また、第１アンテナ部１５ａと第２アンテナ部１５ｂとのどちらか一方を用いる場合には、第１アンテナ部１５ａと第２アンテナ部１５ｂのうち、より電波強度の強い方を選択的に用いることもできる。
【００３９】
操作部５２は、キー操作部１０及びその他の部分から入力されるユーザの指示を受け付ける。
キー操作部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
【００４０】
音声入出力部５３は、スピーカから出力される音声信号やマイクロフォンにおいて入力される音声信号の入出力処理を行う。
すなわち、音声入出力部５３は、マイクロフォンから入力された音声を増幅し、アナログ／デジタル変換を行い、更に符号化等の信号処理を施し、デジタルの音声データに変換して制御部５７に出力する。
また、音声入出力部５３は、制御部５７から供給される音声データに復号化、デジタル／アナログ変換、増幅等の信号処理を施し、アナログの音声信号に変換してスピーカに出力する。
【００４１】
表示部８は、例えばＬＣＤやＯＬＥＤ（Organic light-emitting diode（有機ＥＬ））を用いて構成されており、制御部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
【００４２】
記憶部５６では、携帯電話機１の各種処理に利用される各種データを記憶する。記憶部５６は、例えば制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
また、記憶部５６ではダウンロードが完了したファイルも記憶する。
【００４３】
なお、記憶部５６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００４４】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧など）が操作部５２の操作に応じて適切な手順で実行されるように、上述した各ブロックの動作（通信部５１における信号の送受信、表示部８における画像の表示等）を制御する。
さらに、制御部５７は、記憶部５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部５７は、記憶部５６に格納されるオペレーティングシステムやアプリケーションプログラム等のプログラムから命令コードを順次受け取って処理を実行する。
【００４５】
また、制御部５７は、第１アンテナ部１５ａと第２アンテナ部１５ｂとのうち、より電波強度の強いものを選択する機能をも有する。
そして、より電波強度が強いアンテナ側のアンテナ保持部を発光部２７によって照光させる。
この照光によって、ユーザはより直観的に電波強度が強い方向を認識することができる。
【００４６】
図４は、キーシート３２の正面図と背面図である。
【００４７】
図４のように、キーシート３２の表面には印刷図形３３が形成されている。
また、キーシート３２は、スイッチ２６に対応する部分で印刷図形３３が形成される部分である遮光部３０と透過部３１とを有する。
遮光部３０は、光を透過しない物質によって形成して、発光部２７の光が透過しないように構成している。
一方、透過部３１は、透明又は半透明の物質によって形成して、発光部２７の光が容易に通過できるようにしている。
【００４８】
図５は、プリント基板２１の説明図である。
【００４９】
図５のように、プリント基板２１にはスイッチ２６のメタルドーム２４が配置されている。メタルドーム２４は図４の透過部３１に対応する位置に配置されている。
そして、複数配置されるメタルドーム２４の中間位置にそれぞれ発光部２７が配置されている。
この発光部２７は、隣接する複数のスイッチ２６に対応する透過部３１を通過して、透過部３１に形成される印刷図形３３を照光させることができる。
図５のように、ヒンジ部反対方向位置には、第１発光部２７ａが配置されている。
また、ヒンジ部方向位置には、第２発光部２７ｂが配置されている。
【００５０】
図６は、発光部２７によるインジケータ機能の説明図である。
【００５１】
図６のように、第１発光部２７ａは発光して、第１アンテナ保持部１３を照光可能である。
同様に、第２発光部２７ｂは発光して、第２アンテナ保持部１４を照光可能である。
このように、キー操作部１０を構成するキーシート３２のヒンジ部反対方向位置に第１アンテナ保持部１３が形成され、ヒンジ部側方向位置に第２アンテナ保持部１４が形成される。
そして、第１発光部２７ａ及び第２発光部２７ｂはそれぞれ独立に照光することができるのであるから、第１アンテナ保持部１３及び第２アンテナ保持部１４に独立にインジケータとしての機能を発揮させることができる。
それによって、携帯電話機１の意匠性を上げることができる。
つまり、インジケータとしての機能によって、第１アンテナ保持部１３及び第２アンテナ保持部１４を様々な色等で照光することによって、デザインの向上を図ることが可能である。
【００５２】
インジケータの機能は、具体的には、携帯電話機１の各種状態に応じて発光することによって達成される。
例えば、携帯電話機１の電話・電子メールの着信・発信時に発光してユーザに着信・発信の報知を行う。又は、各種のモード（マナーモード等）に応じて、発光して一定のモードであることをユーザに報知する。
これによって、ユーザに携帯電話機１の情報を確実に報知することが可能となる。
【００５３】
また、第１アンテナ保持部１３を照光する第１発光部２７ａと、第２アンテナ保持部１４を照光する第２発光部２７ｂとは、第１アンテナ部１５ａと第２アンテナ部１５ｂとのうち電波強度が強い方を、ユーザに知らせることが可能なように発光する。
具体的には、例えば、第１アンテナ部１５ａの電波強度が第２アンテナ部１５ｂよりも強い場合には、第１アンテナ保持部１３を第２アンテナ保持部１４よりも明るく発光させて、ユーザに電波強度が強い方向を報知する。
【００５４】
以上の様に構成することによって、アンテナ保持部を用いて、ユーザに電波強度の強い方向、携帯電話機１の状態等の各種の情報を報知することが可能となる。
さらに、アンテナ保持部にインジケータ機能を持たせたことによって、携帯電話機１の装飾性を高めることが可能となる。
【００５５】
＜第１の変形例＞
図７は、第１の変形例の説明図である。
【００５６】
より好適な、変形例について説明する。
図７は図１のＩＩ−ＩＩにおける断面図であり、図２と同一の位置における断面図である。
図７が図２と異なる点は、キーシート側反射シート４１及びプリント基板側反射シート４２を有する点である。
キーシート側反射シート４１は、キーシート３２の裏面方向（プリント基板２１側）に配置されている。また、キーシート側反射シート４１は遮光部３０の部分にのみ張り付けられており、透過部３１には張り付けられていない。
プリント基板側反射シート４２は、プリント基板２１の表面方向（キーシート３２側）に配置されている。
このように、キーシート側反射シート４１及びプリント基板側反射シート４２が、発光部２７が配置されている側に設けられていることによって、次の効果を有する。
キーシート側反射シート４１及びプリント基板側反射シート４２によって、発光部２７からの光が反射してより効率的に第１アンテナ保持部１３、第２アンテナ保持部１４及び透過部３１に導くことが可能となる。
【００５７】
これによって、より低光度の発光部２７であっても透過部３１を照光することができる。そのことによって、電池容量を節約することが可能となる。
また、キーシート側反射シート４１及びプリント基板側反射シート４２によって光が導かれるのであるから、発光部２７から遠い部分であっても光を導くことができ、輝度ムラを防ぐことができる。
さらにまた、遮光部３０を光が透過してしまうことを防ぐことができる。
【００５８】
＜第２の変形例＞
図８は、第２の変形例の説明図である。
【００５９】
図８の第２の変形例が、図６の実施形態と異なる点は、第１発光部２７ａ及び第２発光部２７ｂが複数（３個以上）として、第１アンテナ保持部１３及び第２アンテナ保持部１４内の発光状況を変化させることが可能となる。
つまり、図８のように、左側が明るく、右側が暗く発光させることが可能となる。これによって、同じアンテナ保持部で、方向を表現することが可能になる。
そして、方向を表現できることによって、基地局１００の方向（電波強度が強い方向）を表現することができる。
この同一のアンテナ保持部内での明るさの強弱と、第１アンテナ保持部１３と第２アンテナ保持部１４とのどちらを発光させるかと、によって基地局１００の方向（電波強度が強い方向）をユーザに指し示すことが可能となる。
なお、このアンテナ保持部内での明るさの強弱は、電波強度の強弱以外の各種の情報をユーザに報知することもできる。
例えば、道案内機能において、進むべき方向を支持することも可能である。  
【００６０】
＜第３の変形例＞
図９は、第３の変形例の説明図である。
【００６１】
第１アンテナ保持部１３及び第２アンテナ保持部１４は、必ずしも第２筐体３の表面方向位置において、光を放射可能とする必然性はない。
たとえば、ヒンジ部反対方向位置に光を放射可能としてもよい。
このようにすることによって、懐中電灯又はポインタとしての機能を発揮させることも可能である。
【００６２】
図１０は、懐中電灯（ポインタ）機能を発揮させる為の第１アンテナ保持部１３の形状を説明する図である。
【００６３】
図１０のように、第１アンテナ保持部１３は、第１発光部２７ａからの光を集光可能なようにレンズ状の形状を有しているとより好適である。
これによって、より好適に懐中電灯（ポインタ）機能を発揮することが可能となる。
【００６４】
＜第４の変形例＞
さらに、第１アンテナ保持部１３及び第２アンテナ保持部１４は、第２筐体３の複数の面にわたるように形成して、制御部５７は、発光部２７の発光パターンを制御して第１アンテナ保持部１３及び第２アンテナ保持部１４を加飾してもよい。
このような構成によって、より装飾性を向上させることが可能となる。
【００６５】
以上の実施形態によれば、携帯電話機１は、第２筐体３と、該第２筐体３内部に配設されるプリント基板２１に実装され、キー操作部１０を照光可能な発光部２７とを有している。
また、発光部２７を制御する制御部５７と、筐体内部に配設されるアンテナ部１５と、アンテナ部１５を保持するための第１アンテナ保持部１３又は第２アンテナ保持部１４と、を有している。
そして、第１アンテナ保持部１３又は第２アンテナ保持部１４は、第２筐体３外部に一部が露出されて、発光部２７からの光を第２筐体３外部に導光可能である。
このような構成によって、アンテナ保持部を用いて、ユーザに電波強度の強い方向、携帯電話機１の状態等の各種の情報を報知することが可能となる。
さらに、アンテナ保持部にインジケータ機能を持たせたことによって、携帯電話機１の装飾性を高めることが可能となる。
【００６６】
アンテナ保持部は、第１アンテナ保持部１３と第２アンテナ保持部１４とを有している。
そして、発光部２７は、第１アンテナ保持部１３に照光する第１発光部２７ａと第２アンテナ保持部１４に照光する第２発光部２７ｂとを有する。
このような構成によって、複数のインジケータを携帯電話機１に設けて、ユーザに各種の情報を報知することが可能となる。
【００６７】
制御部５７は、第１発光部２７ａと第２発光部２７ｂを、第１アンテナ保持部１３又は第２アンテナ保持部１４が保持するアンテナ部１５の受信電波強度が強い方を表示させるように制御する。
このような構成によって、複数のインジケータを用いてユーザに電波強度の情報を報知することが可能となる。
【００６８】
発光部２７は、携帯電話機１の動作状況に応じて発光する。
このような構成によって、ユーザに携帯電話機１の情報を確実に報知することが可能となる。
【００６９】
第１アンテナ保持部１３又は第２アンテナ保持部１４は、レンズ形状を有しておりライト機能を有する。
このような構成によって、より好適に懐中電灯（ポインタ）機能を発揮することが可能となる。
【００７０】
第１アンテナ保持部１３又は第２アンテナ保持部１４は、前記筐体の複数の面にわたるように形成されている。
そして、制御部５７は、発光部２７の発光パターンを制御して第１アンテナ保持部１３又は第２アンテナ保持部１４を加飾している。
このような構成によって、より装飾性を向上させることが可能となる。
【００７１】
なお、以上の実施形態において、第１筐体２及び第２筐体３は本発明の筐体の一例である。つまり、筺体とは、携帯電子機器を収容する容器に該当するものであればどのようなものであってもよい。さらに、容器の一部、例えば、第１筐体フロントケース４、第１筐体リアケース５、第２筐体フロントケース６及び第２筐体リアケース７であっても筺体に該当する。
【００７２】
キーシート３２は、キートップとラバーベースとを総称する概念である。また、キートップは必ずしもキートップとラバーベースが別体として構成されている必要はなく、一体形成されていてもよい。さらに、キートップがなくラバーベースに直接キー図形が形成されているような場合におけるラバーベースについてもキーシート３２に含まれる。
【００７３】
本発明は、以上の実施形態に限定されず、種々の態様で実施されてよい。
【００７４】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００７５】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…キー操作部、１１…右側面、１２…左側面、１３…第１アンテナ保持部（第１のアンテナ保持部）、１４…第２アンテナ保持部（第２のアンテナ保持部）、１５…アンテナ部、１５ａ…第１アンテナ部（第１のアンテナ部）、１５ｂ…第２アンテナ部（第２のアンテナ部）、２０…内部筐体、２１…プリント基板、２２…バッテリ、２３…バッテリカバー、２４…メタルドーム、２５…固定接点、２６…スイッチ、２７…発光部、２７ａ…第１発光部、２７ｂ…第２発光部、２８…バッテリ収納部、３０…遮光部、３１…透過部、３２…キーシート、３３…印刷図形、４１…キーシート側反射シート、４２…プリント基板側反射シート、４３…メタルドームシート、４４…導光路、５１…通信部、５２…操作部、５３…音声入出力部、５６…記憶部、５７…制御部、５９…システムバス、１００…基地局
【図１】
2011097231.tif 000003
【図２】
2011097231.tif 000004
【図３】
2011097231.tif 000005
【図４】
2011097231.tif 000006
【図５】
2011097231.tif 000007
【図６】
2011097231.tif 000008
【図７】
2011097231.tif 000009
【図８】
2011097231.tif 000010
【図９】
2011097231.tif 000011
【図１０】
2011097231.tif 000012